(57)【要約】【課題】着用操作をスムーズに行うことができるパンツ型吸収性物品を提供すること。【解決手段】本発明のパンツ型吸収性物品１においては、胴周り部Ｗにおける、吸収体２３又は吸収体２３を縦方向Ｘに仮想的に延長した場合の延長領域の横方向Ｙの両外方に、伸縮性を有しない非伸縮領域５が、サイドシール部Ｓに近接して配置されている。１）一対のサイドシール部Ｓのうちの一方に近接して配置された非伸縮領域５と他方に近接して配置された非伸縮領域５との間、２）非伸縮領域５とウエスト開口部ＷＨとの間、及び３）非伸縮領域５とレッグ開口部ＬＨとの間に、横方向Ｙに伸縮性を有する伸縮領域４が存在する。【選択図】図１
2019111278.tif 000002
【特許請求の範囲】
【請求項１】
着用者の前後方向に対応する縦方向とこれに直交する横方向とを有すると共に、着用時に着用者の腹側に配される腹側部及び背側に配される背側部とそれらの間に位置する股下部とを縦方向に有し、
吸収体を具備する吸収性本体と、該吸収性本体の非肌対向面側に配された外装体とを備え、前記腹側部における該外装体及び前記背側部における該外装体それぞれの縦方向に沿う両側縁部どうしが接合されて一対のサイドシール部、ウエスト開口部及び一対のレッグ開口部が形成され、該ウエスト開口部と該レッグ開口部との間に、着用時に着用者の胴周りに配される胴周り部を有するパンツ型吸収性物品であって、
前記胴周り部における、前記吸収体又は該吸収体を縦方向に仮想的に延長した場合の延長領域の横方向の両外方に、伸縮性を有しない非伸縮領域が、前記サイドシール部に近接して配置され、
一対の前記サイドシール部のうちの一方に近接して配置された前記非伸縮領域と他方に近接して配置された前記非伸縮領域との間に、横方向に伸縮性を有する伸縮領域が存在すると共に、
前記非伸縮領域と前記ウエスト開口部との間、及び該非伸縮領域と前記レッグ開口部との間に、横方向に伸縮性を有する伸縮領域が存在するパンツ型吸収性物品。
【請求項２】
前記非伸縮領域の横方向外方と、前記サイドシール部との間に、横方向に伸縮性を有する伸縮領域が存在する請求項１に記載のパンツ型吸収性物品。
【請求項３】
前記胴周り部における前記外装体に、複数の弾性部材が横方向に伸長状態で縦方向に間欠配置されており、
前記伸縮領域は、前記弾性部材の伸縮性が発現可能な領域であり、
前記非伸縮領域は、前記弾性部材の伸縮性が阻害されている領域である請求項１又は２に記載のパンツ型吸収性物品。
【請求項４】
前記胴周り部における前記外装体に、複数の弾性部材が横方向に伸長状態で縦方向に間欠配置されており、前記伸縮領域は、該弾性部材の伸縮性が発現可能な領域であり、
前記伸縮領域における、前記非伸縮領域と縦方向において同位置に存する部分に配されている前記弾性部材が、該伸縮領域を横方向に横断し且つ該伸縮領域の横方向の両外方に延出しており、その弾性部材の延出部が、該非伸縮領域に位置せずに、該非伸縮領域と前記レッグ開口部との間に位置している請求項１に記載のパンツ型吸収性物品。
【請求項５】
前記胴周り部における前記外装体に、複数の弾性部材が横方向に伸長状態で縦方向に間欠配置されており、前記伸縮領域は、該弾性部材の伸縮性が発現可能な領域であり、
前記伸縮領域における、前記非伸縮領域と縦方向において同位置に存する部分に配されている前記弾性部材が、該伸縮領域を横方向に横断し且つ該伸縮領域の横方向の両外方に延出しており、その弾性部材の延出部が、該非伸縮領域に位置せずに、該非伸縮領域と前記ウエスト開口部との間に位置している請求項１に記載のパンツ型吸収性物品。
【請求項６】
前記非伸縮領域が、前記ウエスト開口部から縦方向内方に１０ｍｍ以上８０ｍｍ以内に位置し、該非伸縮領域の横方向長さが１５ｍｍ以上６０ｍｍ以内である請求項１〜５のいずれか１項に記載のパンツ型吸収性物品。
【請求項７】
前記非伸縮領域が、少なくとも前記腹側部に配されている請求項１〜６のいずれか１項に記載のパンツ型吸収性物品。
【発明の詳細な説明】
【技術分野】
【０００１】
本発明は、一対のサイドシール部、ウエスト開口部及び一対のレッグ開口部を有するパンツ型吸収性物品に関する。
【背景技術】
【０００２】
パンツ型吸収性物品の一種であるパンツ型使い捨ておむつとしては、従来、吸収体を具備する吸収性本体と、該吸収性本体の非肌対向面側に配された外装体とを備え、前身頃（腹側部）における該外装体の両側縁と後身頃（背側部）における該外装体の両側縁とが接合されて一対のサイドシール部、ウエスト開口部及び一対のレッグ開口部が形成されている構成のものが知られている。斯かる構成のパンツ型使い捨ておむつにおいては、通常、ウエスト開口部とレッグ開口部との間が、着用時に着用者の胴周りに配される胴周り部となり、該胴周り部に複数の弾性部材が横方向に伸長状態で縦方向に間欠配置されることで、該胴周り部に横方向の伸縮性が付与され胴周りギャザーが形成されている。
【０００３】
特許文献１には、サイドシール部において容易に引き裂くことができ、取り外しが容易なパンツ型使い捨ておむつとすることを目的として、おむつの胴周り部を横方向に延在する弾性部材の両端部を、サイドシール部に位置させずに、サイドシール部よりも横方向内方に位置させることが記載されている。また特許文献２には、特許文献１と同様の目的で、一対のサイドシール部それぞれの近傍で且つサイドシール部よりも内側に、周辺部とは破断強度が異なる破断強度変更部をサイドシール部に沿って縦方向に延在させ、各破断強度変更部とその近傍のサイドシール部との間に弾性部材を配さないことが記載されている。特許文献１及び２記載のパンツ型使い捨ておむつは、胴周り部における、サイドシール部の近傍で且つサイドシール部と横方向において隣接する領域の全体が、胴周りギャザー形成用弾性部材の非配置領域となっている点で共通する。尚、縦方向は、吸収性物品の着用者の前後方向に対応する方向、横方向は、縦方向に直交する方向である。
【先行技術文献】
【特許文献】
【０００４】
【特許文献１】特開２００１−３３３９３２号公報
【特許文献２】特開２０１１−２３４８４７号公報
【発明の概要】
【発明が解決しようとする課題】
【０００５】
パンツ型使い捨ておむつを着用者自らが着用する場合は通常、おむつにおける一対のレッグ開口部に着用者の両足を通した状態で、おむつのウエスト開口部の開口縁部又はその近傍を、その内面（肌対向面）側から手指の先で引っ掛けるようにして把持して、着用者の股間部側に引き寄せる。着用者ではなく第三者がパンツ型使い捨ておむつを履かせる場合、例えば、母親や介護者が乳幼児や被介護者におむつを履かせる場合も通常、着用者ではなく第三者が行う点以外は前記と実質的に同様の操作が行われる。
【０００６】
このような、パンツ型使い捨ておむつを着用する際の一連の操作がスムーズに行われるためには、ウエスト開口部の開口縁部やその近傍を手指で把持しやすいことが重要である。しかしながら従来のパンツ型使い捨ておむつは、胴周り部のフィット性を高める等の目的で、ウエスト開口部の開口縁部やその近傍に、横方向に伸長状態とされた胴周りギャザー形成用弾性部材が縦方向に比較的密に配されているため、ウエスト開口部の開口縁部やその近傍をその内面側から手指で把持することが容易ではなく、特に、手指で把持しようとする部分が表面平滑性の高いシート材で形成されている場合には、該部分を把持しようとする手指が滑ってしまい、着用操作に手間取ることがあった。
【０００７】
従って本発明の課題は、着用操作をスムーズに行うことができるパンツ型吸収性物品を提供することに関する。
【課題を解決するための手段】
【０００８】
本発明は、着用者の前後方向に対応する縦方向とこれに直交する横方向とを有すると共に、着用時に着用者の腹側に配される腹側部及び背側に配される背側部とそれらの間に位置する股下部とを縦方向に有し、吸収体を具備する吸収性本体と、該吸収性本体の非肌対向面側に配された外装体とを備え、前記腹側部における該外装体及び前記背側部における該外装体それぞれの縦方向に沿う両側縁部どうしが接合されて一対のサイドシール部、ウエスト開口部及び一対のレッグ開口部が形成され、該ウエスト開口部と該レッグ開口部との間に、着用時に着用者の胴周りに配される胴周り部を有するパンツ型吸収性物品であって、前記胴周り部における、前記吸収体又は該吸収体を縦方向に仮想的に延長した場合の延長領域の横方向の両外方に、伸縮性を有しない非伸縮領域が、前記サイドシール部に近接して配置され、一対の前記サイドシール部のうちの一方に近接して配置された前記非伸縮領域と他方に近接して配置された前記非伸縮領域との間に、横方向に伸縮性を有する伸縮領域が存在すると共に、前記非伸縮領域と前記ウエスト開口部との間、及び該非伸縮領域と前記レッグ開口部との間に、横方向に伸縮性を有する伸縮領域が存在するパンツ型吸収性物品である。
【発明の効果】
【０００９】
本発明によれば、着用操作をスムーズに行うことができるパンツ型吸収性物品が提供される。本発明のパンツ型吸収性物品は、この種の吸収性物品を着用する際に手指で把持されることの多い部分（胴周り部におけるサイドシール部の近傍）に、手指の先を引っ掛けやすい非伸縮領域を有し、しかも該非伸縮領域は、その周囲に存在する伸縮領域との対比において外観が目立つため、該吸収性物品を着用する際に、該非伸縮領域を利用して一連の着用操作を容易に行うことができる。
【図面の簡単な説明】
【００１０】
【図１】図１は、パンツ型吸収性物品の一実施形態であるパンツ型使い捨ておむつの自然状態を模式的に示す斜視図である。
【図２】図２は、図１に示すおむつの展開且つ伸長状態における肌対向面側（内面側）を模式的に示す展開平面図である。
【図３】図３は、図１に示すおむつを分解して模式的に示す分解斜視図である。
【図４】図４は、本発明のパンツ型吸収性物品の他の実施形態の展開且つ伸長状態における肌対向面側（内面側）を模式的に示す展開平面図である。
【図５】図５は、本発明のパンツ型吸収性物品のさらに他の実施形態の展開且つ伸長状態における肌対向面側（内面側）を模式的に示す展開平面図である。
【図６】図６は、本発明のパンツ型吸収性物品のさらに他の実施形態の展開且つ伸長状態における肌対向面側（内面側）を模式的に示す展開平面図である。
【図７】図７は、本発明のパンツ型吸収性物品のさらに他の実施形態の展開且つ伸長状態における肌対向面側（内面側）を模式的に示す展開平面図である。
【図８】図８は、図７に示すおむつにおけるサイドシール部及びその近傍の肌対向面側（内面側）を拡大して模式的に示す平面図であり、該おむつの要部である非伸縮領域の模式的な平面図である。
【発明を実施するための形態】
【００１１】
以下本発明を、その好ましい実施形態に基づき図面を参照しながら説明する。図１〜図３には、本発明のパンツ型吸収性物品の一実施形態であるパンツ型使い捨ておむつ１が示されている。おむつ１は、図１〜図３に示すように、着用者の前後方向、即ち着用者の腹側から股間部を介して背側に延びる縦方向Ｘと、これに直交する横方向Ｙとを有すると共に、着用時に着用者の腹側に配される腹側部Ｆ及び背側に配される背側部Ｒとそれらの間に位置する股下部Ｍとを縦方向Ｘに有する。
【００１２】
おむつ１は、排泄された体液を吸収保持可能な吸収体２３を含む吸収性本体２と、該吸収性本体２の非肌対向面側即ち該吸収性本体２よりも着用者の身体から遠い側に配された外装体３とを備える。おむつ１においては、腹側部Ｆにおける外装体３及び背側部Ｒにおける外装体３それぞれの縦方向Ｘに沿う両側縁部どうしが、接着剤、ヒートシール、超音波シール等の公知の接合手段によって互いに接合されて、図１に示すように、一対のサイドシール部Ｓ，Ｓ、並びに着用者の胴が通されるウエスト開口部ＷＨ、及び着用者の下肢が通される一対のレッグ開口部ＬＨ，ＬＨが形成されている。
【００１３】
本明細書において、「肌対向面」は、吸収性物品又はその構成部材（例えば吸収性本体）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側に向けられる面、即ち相対的に着用者の肌から遠い側である。尚、ここでいう「着用時」は、通常の適正な着用位置、即ち当該吸収性物品の正しい着用位置が維持された状態を意味する。
【００１４】
おむつ１は、図２に示すように、ウエスト開口部ＷＨとレッグ開口部ＬＨとの間に、着用時に着用者の胴周りに配される胴周り部Ｗを有する。胴周り部Ｗは、おむつ１におけるサイドシール部Ｓと縦方向Ｘにおいて同位置にある領域であり、本実施形態においては、腹側部Ｆが腹側の胴周り部Ｗ、背側部Ｒが背側の胴周り部Ｗである。つまり、おむつ１の胴周り部Ｗは、腹側部Ｆと背側部Ｒとに区分される。また、胴周り部Ｗは、おむつ１の縦方向端１Ｅから縦方向Ｘの内方に所定距離にわたって存在し、ウエスト開口部ＷＨの開口縁部及びその近傍を形成するウエスト部Ｗ１と、該ウエスト部Ｗ１よりもおむつ１の縦方向端１Ｅから遠い（レッグ開口部ＬＨに近い）ウエスト下部Ｗ２とに区分される。一般に、ウエスト部Ｗ１はおむつ１の縦方向端１Ｅから縦方向Ｘの内方に１０〜４０ｍｍ以内の領域に配置される。
【００１５】
吸収性本体２は、図２に示す如きおむつ１の展開且つ伸長状態において、平面視長方形形状をなし、腹側部Ｆから背側部Ｒにわたって縦方向Ｘに延在しており、その長手方向を展開且つ伸長状態におけるおむつ１の縦方向Ｘに一致させて、外装体３の横方向Ｙの中央部に配置され、接着剤により外装体３に接合されている。おむつ１の「展開且つ伸長状態」とは、おむつ１をサイドシール部Ｓで切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。
【００１６】
吸収性本体２は、図２及び図３に示すように、肌対向面を形成する液透過性の表面シート２１、非肌対向面を形成する液不透過性若しくは液難透過性又は撥水性の裏面シート２２、及び両シート２１，２２間に介在配置された液保持性の吸収体２３を具備しており、これらが接着剤等の公知の接合手段により一体化されて構成されている。また、吸収性本体２の肌対向面における縦方向Ｘに沿う両側部には、液抵抗性又は撥水性で且つ通気性の防漏カフ形成用シートから構成された一対の防漏カフ２４，２４が設けられている。各防漏カフ２４の自由端部の近傍には糸状の防漏カフ形成用弾性部材２５が１本以上縦方向Ｘに伸長状態で配されている。防漏カフ２４は、伸長状態で配された弾性部材２５がおむつ１の着用時に収縮することによって少なくとも股下部Ｍで起立し、それによって尿等の排泄液の横方向Ｙの外方への流出を阻止する。
【００１７】
表面シート２１、裏面シート２２及び吸収体２３としては、それぞれ、この種の吸収性物品に従来用いられている各種のものを特に制限なく用いることができる。例えば、表面シート２１としては各種の不織布や開孔フィルム等を用いることができ、裏面シート２２としては樹脂フィルムや、樹脂フィルムと不織布等とのラミネート等を用いることができる。吸収体２３は、典型的には、吸収性材料を主体とする液保持性の吸収性コアを含んで構成され、さらに、該吸収性コアの肌対向面及び非肌対向面を被覆するコアラップシートを含んでいてもよい。前記吸収性コアの主体をなす吸収性材料としては、この種の吸収性物品において吸収体の材料として用いられるものを特に制限なく用いることができ、例えば、木材パルプ、親水化処理された合成繊維、吸水性ポリマー等が挙げられる。前記吸収性コアの典型的な形態として、木材パルプ等の親水性繊維の繊維集合体、又は該繊維集合体に粒子状の吸水性ポリマーを保持させたものを例示できる。また、前記防漏カフ形成用シートとしては、裏面シート２２に使用可能なものを用いることができる。
【００１８】
外装体３は、図２に示す如き展開且つ伸長状態のおむつ１の外形を形作っており、外装体３の周縁は、その状態のおむつ１の輪郭線、即ち腹側部Ｆ、股下部Ｍ及び背側部Ｒそれぞれの輪郭線を形成している。外装体３は、図２に示すように、腹側部Ｆ及び背側部Ｒにおいては、縦方向Ｘよりも横方向Ｙの長さが長い長方形形状をなし、腹側部Ｆと背側部Ｒとの間に位置する股下部Ｍにおいては、外装体３の縦方向Ｘに沿う両側縁部即ち一対のレッグ縁部ＬＳ，ＬＳが横方向Ｙの中央に向かって凸の円弧状に湾曲しており、図２に示す如き平面視において、縦方向Ｘの中央域が横方向Ｙの内方に向けて括れた形状をなしている。
【００１９】
外装体３は、図３に示すように、着用状態においておむつ１の外面即ち非肌対向面を形成する外層シート３１と、外層シート３１の肌対向面に対向配置された内層シート３２との積層体を含んで構成されている。おむつ１の着用状態において、外層シート３１は着用者の身体から遠い側に位置して、おむつ１の非肌対向面（外面）を形成し、内層シート３２は着用者の身体に近い側に位置して、おむつ１の肌対向面（内面）を形成する。外層シート３１と内層シート３２とは、所定の部位において接着剤等の接合手段を介して互いに接合されている。
【００２０】
本実施形態においては、外層シート３１は、図２及び図３に示すように、腹側部Ｆ及び背側部Ｒに、内層シート３２の縦方向Ｘの端縁から延出し、内層シート３２の肌対向面側に折り返される折り返し部３１Ｅを有し、該折り返し部３１Ｅは、吸収性本体２の縦方向Ｘの端部を被覆している。
【００２１】
外装体３を構成するシート３１，３２は、互いに同種のシートでもよく、あるいは異種のシートでもよい。シート３１，３２は、典型的には伸縮性を有していないが、本発明の所定効果を阻害しない前提で、伸縮性を有していてもよい。シート３１，３２として使用可能な、伸縮性を有していない非伸縮シートとしては、例えば、各種製法による不織布が挙げられ、具体的にはスパンボンド不織布、エアスルー不織布、ニードルパンチ不織布を例示できる。
【００２２】
図１〜図３に示ように、胴周り部Ｗ（腹側部Ｆ、背側部Ｒ）における外装体３には、複数の糸状又は帯状の胴周り弾性部材３３が横方向Ｙに伸長状態で縦方向Ｘに間欠配置されている。このように、胴周り弾性部材３３がその伸縮性が発現される状態で胴周り部Ｗに配置固定されていることにより、胴周り部Ｗには、後述する非伸縮領域５を除き、それらの全周にわたって実質的に連続した環状の胴周りギャザーが形成される。前記胴周りギャザーのうち、ウエスト部Ｗ１に形成されるものはウエストギャザーなどとも呼ばれる。胴周り部Ｗにおける後述する非伸縮領域５以外の部分は、胴周り弾性部材３３の伸縮性が発現可能な領域であり、前記胴周りギャザー（ウエストギャザー）が形成される、伸縮領域４であり、横方向Ｙに伸縮性を有している。胴周り部Ｗにおける外装体３は、一部に後述する非伸縮領域５を有しているものの、外装体３全体としては、横方向Ｙに伸長状態で固定された胴周り弾性部材３３を具備することに起因して、横方向Ｙに伸縮性を有しており、同方向に伸縮性を有する伸縮シートである。
【００２３】
また、一対のレッグ開口部ＬＨ，ＬＨそれぞれの開口縁部を形成するレッグ縁部ＬＳには、糸状又は帯状の１本又は複数本のレッグ弾性部材３４が伸長状態で配されており、これによって一対のレッグ開口部ＬＨ，ＬＨそれぞれの開口縁部には、その全周にわたって実質的に連続した環状のレッグギャザーが形成される。これらの弾性部材３３，３４は、何れも外装体３を構成する外層シート３１と内層シート３２との間に接着剤等の接合手段により挟持固定されている。
【００２４】
おむつ１の主たる特徴の１つとして、図１〜図３に示すように、胴周り部Ｗ（腹側部Ｆ、背側部Ｒ）における、吸収体２３又は該吸収体２３を縦方向に仮想的に延長した場合の延長領域の横方向Ｙの両外方に、伸縮性を有しない非伸縮領域５が、サイドシール部Ｓに近接して配置され、且つ下記１）〜３）の３箇所に、横方向Ｙに伸縮性を有する伸縮領域４が存在する点が挙げられる。
１）一対のサイドシール部Ｓのうちの一方に近接して配置された非伸縮領域５と他方に近接して配置された非伸縮領域５との間
２）非伸縮領域５とウエスト開口部ＷＨ（おむつ１の縦方向端１Ｅ）との間
３）非伸縮領域５とレッグ開口部ＬＨとの間
【００２５】
前記１）に関し、おむつ１においては図２に示すように、腹側部Ｆ及び背側部Ｒそれぞれにおいて、一対のサイドシール部Ｓ，Ｓに近接して配置された一対の非伸縮領域５，５間の全域が、伸縮領域４となっている。但し、前記１）を満たすためには、一対の非伸縮領域５，５に挟まれた領域の少なくとも一部が伸縮領域４であればよく、該領域に部分的に非伸縮領域５が存在してもよい。例えば、一対の非伸縮領域５，５間に吸収性本体２が配され、且つその吸収性本体２の配置領域（一対の非伸縮領域５，５間における横方向Ｙの中央部）が非伸縮領域５とされていてもよい。
【００２６】
本発明においては前述した通り、「伸縮領域」は横方向に伸縮性を有する領域、「非伸縮領域」は伸縮性を有しない領域であるところ、本明細書において「伸縮性」とは、所定方向に伸長可能であり且つ伸長を解除すると収縮する性質を意味する。図示の実施形態に即してより具体的に説明すると、「伸縮領域」は、弾性部材の伸縮に外装体を構成するシートが追随する領域、即ち、該弾性部材の伸縮性が発現可能な領域である。伸縮領域における外装体を構成するシートは、弾性部材が縮んだ状態においては、行き場を失った部分が襞（ギャザー）を形成する。そして、「非伸縮領域」は、実質的に弾性部材の伸縮に追随しない領域、即ち、該弾性部材の伸縮性が発現しない領域である。
【００２７】
本実施形態においては、吸収体２３の横方向Ｙの長さは吸収性本体２のそれと同じであり、図２に示すように、腹側部Ｆ及び背側部Ｒそれぞれの胴周り部Ｗにおける、吸収性本体２の縦方向Ｘに沿う両側縁２Ｓ，２Ｓ及びその図示しない仮想延長線よりも横方向Ｙの外方に、非伸縮領域５が一対配されている。また本実施形態においては、おむつ１は、該おむつ１を横方向Ｙに二等分して縦方向Ｘに延びる横中心線ＣＬｙ（図２参照）を基準として対称に形成されている。おむつ１が対称に形成され、また、おむつ１の着用の際は両手を用いることが多いことを踏まえ、おむつ１の着用時の作業性向上の観点から、一対のサイドシール部Ｓ，Ｓそれぞれに近接して配置された一対の非伸縮領域５，５は、図２に示すように、横中心線ＣＬｙを基準として対称に形成されていることが好ましい。
【００２８】
また本実施形態においては、図１〜図３に示すように、胴周り部Ｗ（腹側部Ｆ、背側部Ｒ）における外装体３に、複数の胴周り弾性部材３３が横方向Ｙに伸長状態で縦方向Ｘに間欠配置されており、伸縮領域４は、該弾性部材３３の伸縮性が発現可能な領域である。この点に関し、本実施形態においては前述したように、胴周り部Ｗにおける非伸縮領域５以外の部分は、後述する吸収性本体２の配置領域を除き、胴周り弾性部材３３の伸縮性が発現可能な領域である、伸縮領域４であり、横方向Ｙに伸縮性を有し、おむつ１の自然状態において前記胴周りギャザー（ウエストギャザー）が形成される。尚、サイドシール部Ｓは通常、サイドシール部Ｓを構成する外装体３などのシートどうしが融着されるなどして硬化しているため、非伸縮領域である。
【００２９】
そして本実施形態においては、図２及び図３に示すように、非伸縮領域５は、胴周り弾性部材３３の伸縮性が阻害されている領域である。本実施形態においては、胴周り弾性部材３３に非伸縮部５０が形成されることで、該弾性部材３３の伸縮性が阻害されている。このような、非伸縮部５０の形成の如き、弾性部材の伸縮性の意図的な阻害は、従来この種の吸収性物品において、吸収性本体のような比較的剛性の高い部材と平面視において重なる部分に配された弾性部材の伸縮性を意図的に抑制し、吸収性本体に該弾性部材の伸縮に起因する皺が発生する不都合を防止する場合に利用されている。本実施形態においては、図３に示すように、胴周り部Ｗ（腹側部Ｆ、背側部Ｒ）の胴周り弾性部材３３は、吸収性本体２の配置領域における吸収性本体２との重複部分にも非伸縮部５０を有しており、該重複部分でも該弾性部材３３の伸縮性が阻害されている。非伸縮部５０の形成方法としては、この種の吸収性物品において弾性部材の伸縮性を阻害するのに通常用いられている方法を特に制限無く用いることができ、例えば、胴周り弾性部材３３を切断して横方向Ｙに不連続に点在する複数の断片に分断する方法が挙げられる。従って非伸縮部５０は、胴回り弾性部材３３の非存在部、又は、胴回り弾性部材３３の切断片（横方向Ｙに間欠配置された弾性部材３３の複数の断片）であり得る。
【００３０】
前述の如き構成のおむつ１を着用する際には通常、ウエスト開口部ＷＨの開口縁部（おむつ１縦方向端１Ｅ）又はその近傍で、且つ吸収性本体２が配されているおむつ１の横方向Ｙの中央部以外の部分、具体的にはサイドシール部Ｓと吸収性本体２の側縁２Ｓ及びその延長線との間に位置する部分（以下、「サイド領域」ともいう）を、手指の先で引っ掛けるなどして把持し、着用者の股間部側におむつ１を引き寄せる。従って、前記サイド領域におけるウエスト開口部ＷＨの開口縁部及びその近傍が手指で把持しやすい構造であると、おむつ１の着用操作をスムーズに行うことが可能となる。この点、おむつ１においては前述した通り、胴周り部Ｗにおける前記サイド領域の一部が、伸縮性を有していない非伸縮領域５とされ、且つ一対のサイドシール部Ｓ，Ｓに近接して配置された一対の非伸縮領域５，５間と、非伸縮領域５を挟んで縦方向Ｘの両外方とに伸縮領域４が存在する。即ち、各非伸縮領域５は伸縮領域４によって包囲されている。そして、おむつ１を着用する際には、非伸縮領域５の周辺の伸縮領域４における胴周り弾性部材３３の収縮によって、図１に示すように、非伸縮領域５が周辺部よりも膨らみ、手指の先を引っ掛けやすい構造となる。その結果、膨らんだ状態の非伸縮領域５に、その肌対向面側（内面側）から手指の先を引っ掛けるなどしておむつ１をしっかりと把持することができ、その把持したおむつ１を着用者の股間側にスムーズに引き寄せることができる。また非伸縮領域５は、おむつ１の着用の際に膨らむことから、非伸縮領域５の周辺の膨らんでいない伸縮領域４との対比によりその存在が目立つため、おむつ１の着用操作を行う者の注意を引きつけやすく、おむつ１を着用する際の非伸縮領域５の積極的な利用を促すことが可能である。
【００３１】
また、このように、おむつ１の胴周り部Ｗに非伸縮領域５が存在することで、おむつ１の着用操作がスムーズに行えるようになる反面、胴周り部Ｗの伸縮性が低下することが懸念される。しかしながらおむつ１においては、１）一対のサイドシール部Ｓ，Ｓに近接して配置された一対の非伸縮領域５，５の間、２）非伸縮領域５とウエスト開口部ＷＨ（おむつ１の縦方向端１Ｅ）との間、及び３）非伸縮領域５とレッグ開口部ＬＨとの間のそれぞれに伸縮領域４が存在し、これら非伸縮領域５を包囲する伸縮領域４が着用者の身体にフィット性よく密着するため、斯かる懸念が払拭されている。
【００３２】
前述した通り、非伸縮領域５は、典型的には、おむつ１の着用の際に手指で把持する部位として利用されることから、非伸縮領域５の位置は、胴周り部Ｗのフィット性等を実質的に低下させない範囲で、手指で把持しやすいように調整されることが好ましい。斯かる観点から、非伸縮領域５は、ウエスト開口部ＷＨ（おむつ１の縦方向端１Ｅ）から縦方向Ｘの内方に、好ましくは１０ｍｍ以上８０ｍｍ以内、さらに好ましくは２０ｍｍ以上６０ｍｍ以内、より好ましくは３０ｍｍ以上５０ｍｍ以内に位置することが好ましい。
【００３３】
また同様の観点から、非伸縮領域５は、その近傍のサイドシール部Ｓの内側縁Ｓ１（図２参照）から横方向Ｙの内方に、好ましくは６０ｍｍ以内、さらに好ましくは５０ｍｍ以内、より好ましくは４０ｍｍ以内に位置することが好ましい。サイドシール部Ｓの内側縁Ｓ１は、サイドシール部Ｓの縦方向Ｘに沿う両側縁のうち、横方向Ｙの内方側に位置し、吸収性本体２から相対的に近い側の側縁である。
【００３４】
また、非伸縮領域５の大きさも同様の観点から調整されることが好ましく、非伸縮領域５の縦方向長さ５ｘ（図２参照）は、好ましくは１５ｍｍ以上、さらに好ましくは２０ｍｍ以上、より好ましくは２５ｍｍ以上、そして、好ましくは６０ｍｍ以下、さらに好ましくは５５ｍｍ以下、より好ましくは５０ｍｍ以下である。非伸縮領域５の横方向長さ５ｙ（図２参照）は、好ましくは２０ｍｍ以上、さらに好ましくは２５ｍｍ以上、より好ましくは３０ｍｍ以上、そして、好ましくは６０ｍｍ以下、さらに好ましくは５５ｍｍ以下、より好ましくは５０ｍｍ以下である。ここでいう、非伸縮領域５の縦方向長さ５ｘ及び横方向長さ５ｙは、それぞれ、図１に示す如き自然状態（各部の弾性部材が非伸長の状態）のおむつ１を平らな所に置いた時の長さを意味する。
【００３５】
非伸縮領域５は、少なくとも腹側部Ｆに配されていることが好ましい。おむつ１を着用者自らが着用する場合において、おむつ１を股間側に引き寄せる際に着用者が手指で把持する部分は通常、腹側部Ｆであり、また、着用者以外の第三者がおむつ１を履かせる場合も、その第三者は、腹側部Ｆの前記サイド領域におけるウエスト開口部ＷＨの開口縁部を手指で把持することが多い。よって前記の通り、おむつ１の把持部として利用される非伸縮領域５は腹側部Ｆに配されていることが好ましい。本実施形態においては、図２に示す通り、腹側部Ｆ及び背側部Ｒの両方に非伸縮領域５が配されており、様々な着用操作に対応可能になされている。
【００３６】
図４〜図８には本発明の他の実施形態であるおむつ１Ａ、１Ｂ、１Ｃ及び１Ｄが示されている。これら他の実施形態については、前述したおむつ１と異なる構成部分を主として説明し、同様の構成部分は同一の符号を付して説明を省略する。特に説明しない構成部分は、おむつ１についての説明が適宜適用される。おむつ１Ａ（図４参照）、おむつ１Ｂ（図５参照）、おむつ１Ｃ（図６参照）及びおむつ１Ｄ（図７及び図８参照）は、それぞれ、非伸縮領域５の具体的な構成の点で、前述したおむつ１と異なる。
【００３７】
おむつ１Ａにおいては、図４に示すように、非伸縮領域５に胴回り弾性部材３３が配されていない。このような、胴回り弾性部材３３が非配置の非伸縮領域５は、おむつ１Ａの製造工程において、非伸縮領域５の形成予定位置に該弾性部材３３の固定手段（例えば接着剤）を配置しないことで形成することができる。おむつ１Ａによってもおむつ１と同様の効果が奏される。
【００３８】
おむつ１Ｂ及び１Ｃは何れも、胴周り部Ｗ（腹側部Ｆ、背側部Ｒ）における外装体３に、複数の胴回り弾性部材３３が横方向Ｙに伸長状態で縦方向Ｘに間欠配置され、伸縮領域４が、該弾性部材３３の伸縮性が発現可能な領域となっており、以上の点はおむつ１と同じである。
【００３９】
おむつ１Ｂにおいては、図５に示すように、伸縮領域４における、非伸縮領域５と縦方向Ｘにおいて同位置に存する部分に配されている胴回り弾性部材３３が、該伸縮領域４を横方向Ｙに横断し且つ該伸縮領域４の横方向Ｙの両外方に延出しており、その弾性部材３３の該伸縮領域４からの延出部３３Ｅが、該非伸縮領域５に位置せずに、該非伸縮領域５とレッグ開口部ＬＨ（レッグ縁部ＬＳ）との間に位置している。
【００４０】
おむつ１Ｃにおいては、図６に示すように、伸縮領域４における、非伸縮領域５と縦方向Ｘにおいて同位置に存する部分に配されている胴回り弾性部材３３が、該伸縮領域４を横方向Ｙに横断し且つ該伸縮領域４の横方向Ｙの両外方に延出しており、その弾性部材３３の該伸縮領域４からの延出部３３Ｅが、該非伸縮領域５に位置せずに、該非伸縮領域５とウエスト開口部ＷＨ（おむつ１Ｃの縦方向端１Ｅ）との間に位置している。
【００４１】
おむつ１Ｂ及び１Ｃにおけるような、胴回り弾性部材３３が非配置の非伸縮領域５は、おむつ１Ｂ又は１Ｃの製造工程において、外装体３を構成する２枚のシート（外層シート３１、内層シート３２）間に該弾性部材３３を導入する際に、該弾性部材３３が非伸縮領域５の形成予定位置に存しないよう、該弾性部材３３を揺動させることで形成することができ、また、そのような弾性部材の揺動は、公知の方法を利用して行うことができる。おむつ１Ｂ及び１Ｃによってもおむつ１と同様の効果が奏される。
【００４２】
特に、おむつ１Ｂ及び１Ｃにおいては、胴周り部Ｗにおける非伸縮領域５と縦方向Ｘにおいて隣接する縦方向隣接部に、１）該縦方向隣接部と縦方向Ｘにおいて同位置にある伸縮領域４を横方向Ｙに横断する胴周り弾性部材３３と、２）該非伸縮領域５と縦方向Ｘにおいて同位置にある伸縮領域４を横方向Ｙに横断する胴周り弾性部材３３即ち前記延出部３３Ｅとが存在し、横方向Ｙに伸長状態の胴周り弾性部材３３が、胴周り部Ｗの他の部分よりも多く配されているため、該縦方向隣接部は胴周り部Ｗの他の部分よりも収縮力が高く、そのため、該縦方向隣接部に隣接する非伸縮領域５は、おむつ１Ｂ、１Ｃの着用の際に図１に示す如く膨らみやすいので、前述した非伸縮領域５による作用効果がより一層確実に奏され得る。
【００４３】
おむつ１Ｄにおいては、図７に示すように、非伸縮領域５に胴回り弾性部材３３が配されておらず、この点は、おむつ１Ａ（図４参照）と同じである。おむつ１Ｄは、図８に拡大して示すように、非伸縮領域５の横方向Ｙの外方とサイドシール部Ｓとの間に、横方向Ｙに伸縮性を有する伸縮領域４が存在する点で特徴付けられる。つまり、おむつ１Ｄにおける非伸縮領域５は、縦方向Ｘのみならず、横方向Ｙにおいても、伸縮領域４に挟まれている。即ち図８に示すように、非伸縮領域５とその近傍のサイドシール部Ｓとの間は、胴回り弾性部材３３が横方向Ｙに伸長状態で配されることで、横方向Ｙに伸縮性を有する伸縮領域４となっており、従って、該非伸縮領域５の周囲には胴回り弾性部材３３が横方向Ｙに伸長状態で配されていることになる。このように、非伸縮領域５が縦方向Ｘ及び横方向Ｙの双方において伸縮領域４と隣接し、伸縮領域４に包囲された構成であると、前述した非伸縮領域５の膨らみが比較的大きなものとなりやすく、非伸縮領域５による作用効果がより一層向上し得る。
【００４４】
本発明のパンツ型吸収性物品は、使い捨ておむつのみならず、使い捨てショーツ、ショーツ型ナプキンなどの、パンツ型の構造を有する吸収性物品一般に適用可能であり、乳幼児用のものであっても、成人用のものであってもよい。
【００４５】
以上、本発明をその実施形態に基づいて説明したが、本発明は、前記実施形態に制限されることなく適宜変更が可能である。
例えば前記実施形態では、サイドシール部Ｓに近接して配置された非伸縮領域５は、吸収性本体２（吸収体２３）を横方向Ｙに仮想的に延長した場合の延長領域に存在せず、換言すれば、吸収性本体２（吸収体２３）と縦方向Ｘにおいて同位置に存在せず、該延長領域の縦方向Ｘの外方に存在しているが、該延長領域に非伸縮領域５が存在してもよい。
また、おむつ１においては、図２に示すように、外装体３が腹側部Ｆ、股下部Ｍ及び背側部Ｒにわたる連続した形状をなしているが、これに代えて、外装体３が腹側シート部材と背側シート部材とに分割された形態であり、吸収性本体２が両シート部材に架け渡して固定されていてもよい。
また、前述した一の実施形態のみが有する部分は、すべて適宜相互に利用できる。
【符号の説明】
【００４６】
１，１Ａ，１Ｂ，１Ｃ，１Ｄ  パンツ型吸収性物品（パンツ型使い捨ておむつ）
Ｆ  腹側部
Ｍ  股下部
Ｒ  背側部
Ｗ  胴周り部
Ｗ１  ウエスト部
Ｗ２  ウエスト下部
２  吸収性本体
２１  表面シート
２２  裏面シート
２３  吸収体
２４  防漏カフ
３  外装体
３１  外層シート
３２  内層シート
３３  胴周り弾性部材
３４  レッグ弾性部材
４  伸縮領域
５  非伸縮領域
５０  非伸縮部
Ｘ  縦方向
Ｙ  横方向
【図１】
2019111278.tif 000003
【図２】
2019111278.tif 000004
【図３】
2019111278.tif 000005
【図４】
2019111278.tif 000006
【図５】
2019111278.tif 000007
【図６】
2019111278.tif 000008
【図７】
2019111278.tif 000009
【図８】
2019111278.tif 000010